(57)【特許請求の範囲】
【請求項１】
釣り竿に装着され、釣り竿の長手方向に沿う軸回りに釣り糸を巻き取るスピニングリールであって、
前記釣り竿に装着される装着部と、前記装着部と間隔を隔てて配置されたリールボディと、前記装着部と前記リールボディとを連結する脚部とを有するリール本体と、
前記リールボディの前部に回転自在に装着されたロータと、
前記ロータの前部で前記リール本体に前後移動自在かつ回転不能に装着され、前記ロータにより外周面に釣り糸が巻き付けられるスプールと、
前記ロータの糸繰り出し方向の回転を制動可能な制動手段と、
前記ロータの回転に対して第１規制状態と前記第１規制状態と規制状態が異なる第２規制状態とを取り得る回転規制手段と、
前記装着部と接離する方向に移動自在に前記リール本体に設けられ、第１位置に配置される第１操作部、及び前記第１操作部に対向して前記第１位置より前記装着部から離反した第２位置に配置される第２操作部を有し、前記第１操作部を前記第１位置から前記装着部に接近する方向に操作すると前記制動手段による制動力が増加するとともに、前記第２操作部を前記第２位置に配置すると前記回転規制手段を前記第１規制状態にし、前記第２操作部を前記第２位置より前記装着部から離反した第３位置に前記第２位置から操作すると前記第２規制状態にする操作手段と、
前記第２操作部が前記第２位置と前記第３位置とにそれぞれ配置されるように前記操作手段を保持可能な位置保持手段と、
を備えたスピニングリール。
【請求項２】
前記操作手段は、
先端に前記第１操作部及び前記第２操作部を有し、前記リール本体に揺動自在に設けられ、前記第１操作部が前記第１位置から装着部に接近する方向に操作されると前記制動手段による制動力が増加する第１操作手段と、
前記第１操作手段に連動して揺動し、前記第１操作部が前記第１位置にあるとき前記回転規制手段を前記第１規制状態にし、前記第２操作部が前記第２位置から第３位置に操作されると前記第２規制状態にする第２操作手段とを有する、請求項１に記載のスピニングリール。
【請求項３】
前記位置保持手段は、前記第２操作部が前記第２位置と前記第３位置とにそれぞれ配置されるように前記第１操作手段を保持する、請求項２に記載のスピニングリール。
【請求項４】
前記操作手段は、
先端に前記第１操作部を有し、前記リール本体に揺動自在に設けられ、前記第１操作部が前記第１位置から装着部に接近する方向に操作されると前記制動手段による制動力が増加する第１操作手段と、
先端に前記第２操作部を有し、前記リール本体に揺動自在に設けられ、前記第２操作部が前記第２位置にあるとき前記回転規制手段を第１規制状態にし、前記第２操作部が前記第２位置から前記第３位置に操作されると前記第２規制状態にする第２操作手段とを有する、請求項１に記載のスピニングリール。
【請求項５】
前記位置保持手段は、前記第２操作部が前記第２位置と前記第３位置とに配置されるように前記第２操作手段を保持する、請求項４に記載のスピニングリール。
【請求項６】
前記第３位置に前記第２操作部が配置されたとき、前記第２操作部は、前記第１操作部が前記第１位置から前記装着部に接近する方向に操作されると前記第１操作手段に連動して前記第２位置に戻る、請求項４又は５に記載のスピニングリール。
【請求項７】
前記第１規制状態は前記第２規制状態より規制が弱い状態である、請求項１から６のいずれかに記載のスピニングリール。
【請求項８】
前記第１規制状態は、前記回転規制手段による規制が解除される状態である、請求項７に記載のスピニングリール。
【請求項９】
前記第２規制状態は前記第１規制状態より規制が弱い状態である、請求項１から６のいずれかに記載のスピニングリール。
【請求項１０】
前記第２規制状態は、前記回転規制手段による規制が解除される状態である、請求項９に記載のスピニングリール。
【請求項１１】
前記制動手段は、前記ロータの前記糸繰り出し方向の回転にのみ連動して回転する制動部材を有し、
前記第１操作手段は、基端に前記制動部材に接触可能な制動作用部を有し、前記第１位置に配置された前記第１操作部を前記装着部に接近する方向に操作すると、前記制動作用部が前記制動部材に接触して前記ロータが制動される、請求項２から１０のいずれかに記載のスピニングリール。
【請求項１２】
前記回転規制手段は制動手段と兼用され、前記第２操作手段が前記制動部材に接触すると前記ロータが制動され前記第１又は第２規制状態になる、請求項１１に記載のスピニングリール。
【請求項１３】
前記回転規制手段は、前記ロータの逆転を許可する前記第１規制状態と前記ロータの逆転を禁止する前記第２規制状態とを取り得る逆転防止手段である、請求項１から１１のいずれかに記載のスピニングリール。
【発明の詳細な説明】
【０００１】
【発明の属する技術分野】
本発明は、スピニングリール、特に、釣り竿に装着され、釣り竿の長手方向に沿う軸回りに釣り糸を巻き取るレバーブレーキ型のスピニングリールに関する。
【０００２】
【従来の技術】
一般に、磯釣りを行う場合、遠投性を向上させるため及び警戒心が強い魚を対象とするため比較的細い糸が使用される。このような細い糸はよれやすいため、制動レバー（制動力調整操作部の一例）によってロータが制動操作される逆転制動機構を有するレバーブレーキ型のスピニングリールがしばしば使用される。レバーブレーキ型のスピニングリールは、ロータを張力に応じて逆転させて魚と簡単にやりとりするために使用される。
【０００３】
この種のレバーブレーキ型のスピニングリールにおいて、制動状態が解除される中立位置と、中立位置より釣り竿から離反し所定の制動状態を維持する制動位置とに制動レバーを保持可能なスピニングリールが知られている。また、逆転制動機構に加えて逆転防止機構を有するものでは、制動状態が解除されかつ逆転許可される中立位置と、中立位置より釣り竿から離反し制動状態が解除されかつ逆転が禁止される逆転禁止位置とに制動レバーを保持可能なスピニングリールも知られている。
【０００４】
このようなスピニングリールでは、魚とのやり取りを行う場合には、制動レバーで制動操作を行う。この制動操作を行う際には、たとえば人差し指の腹で制動レバーの先端下面を装着部に接近する方向に引き込む。一方、仕掛けに誘いのアクションを加えたり、仕掛けに掛かった魚を玉網に取り込んだり、釣り婆移動するときなどには、規制操作によりロータの糸繰り出し方向の回転を規制する。規制操作を行う際には、人差し指の背で制動レバーの先端より基端側の上面を押し込み規制状態にする。規制を解除する際には、制動レバーの先端を僅かに引き込む操作を行えばよい。このような制動レバーの操作により規制状態の切換操作を行えるので、釣り竿を持つ片手で手を離すことなく逆転制動機構や逆転防止機構等の逆転規制機構の切換操作を行え、規制操作が容易になる。
【０００５】
【発明が解決しようとする課題】
前記従来の構成では、規制操作は、制動レバーの先端より基端側の上面を中指で押し込む動作で行われている。このため、規制操作を行うとき、制動操作に使用する以外の指、たとえば釣り竿を持つ手の中指が釣り竿から離れる。このように中指が釣り竿から離れるため、たとえば、玉網に魚を取り込むために規制操作を行う際には、負荷がかかった釣り竿を把持する力が規制操作を行う瞬間に弱くなる。釣り竿を把持する力が弱くなると、釣り竿が安定しなくなり魚をうまく取り込めなくなるおそれがある。
【０００６】
中指を釣り竿から離さないようにするために、制動レバーの先端の上面側を制動レバーを操作するための人差し指で押し込み操作することが考えられる。しかし、規制操作の際に人差し指を下面側から上面側に制動レバーを跨いで移動させなければならず、規制操作を円滑に行いにくい。しかも、制動レバーの先端と釣り竿との間に人差し指を入れるため隙間が必要になり、制動レバーが装着部からさらに離反し、規制位置もそれに応じて離反するため規制操作を行いにくくなる。
【０００７】
本発明の課題は、レバーブレーキ型のスピニングリールにおいて、制動操作に使用する以外の指を釣り竿から離すことなく円滑に規制操作を行えるようにすることにある。
【０００８】
【課題を解決するための手段】
発明１に係るスピニングリールは、釣り竿に装着され、釣り竿の長手方向に沿う軸回りに釣り糸を巻き取るリールであって、リール本体と、ロータと、スプールと、制動手段と、回転規制手段と、操作手段と、位置保持手段とを備えている。リール本体は、釣り竿に装着される装着部と、装着部と間隔を隔てて配置されたリールボディと、装着部とリールボディとを連結する脚部とを有する。ロータは、リールボディの前部に回転自在に装着されたものである。スプールは、ロータの前部でリール本体に前後移動自在に装着され、ロータにより外周面に釣り糸が巻き付けられるものである。制動手段は、ロータの糸繰り出し方向の回転を制動可能な手段である。回転規制手段は、ロータの回転に対して第１規制状態と第１規制状態と規制状態が異なる第２規制状態とを取り得る手段である。操作手段は、装着部と接離する方向に移動自在にリール本体に設けられ、第１位置に配置される第１操作部、及び第１操作部に対向して第１位置より装着部から離反した第２位置に配置される第２操作部を有し、第１操作部を第１位置から装着部に接近する方向に操作すると制動手段による制動力が増加するとともに、第２操作部を第２位置に配置すると回転規制手段を第１規制状態にし、第２操作部を第２位置より装着部から離反した第３位置に第２位置から操作すると第２規制状態にする手段である。位置保持手段は、第２操作部が第２位置と第３位置とにそれぞれ配置されるように操作手段を保持可能な手段である。
【０００９】
このスピニングリールでは、第１操作部を第１位置から装着部に接近する方向に引き込み操作すると、制動手段によるロータの糸繰り出し方向の回転に対する制動力が増加する。また、第１操作部を操作せずに第１位置に維持すると回転規制手段よりロータが第１規制状態に規制される。また、第１操作部と対向して配置された第２操作部を第２位置から第３位置に押し込み操作すると、回転規制手段によりロータが第２規制状態に規制され、かつその位置で保持される。ここでは、２つの操作部を装着部と接離する方向に対向して配置しているので、第１操作部を操作する同じ指の背で第２操作部を押し込み操作して規制状態を切り換えることができる。このように、制動操作と同じ指で規制切換操作を行えるので、他の指を釣り竿から離す必要がなくなり、円滑に規制操作を行えるようになる。また、第２位置や第３位置に第２操作部を配置すると位置保持手段により手を離してもその位置で保持されるので、規制状態を持続できる。
【００１０】
発明２に係るスピニングリールは、発明１に記載のリールにおいて、操作手段は、先端に第１操作部及び第２操作部を有し、リール本体に揺動自在に設けられ、第１操作部が第１位置から装着部に接近する方向に操作されると制動手段による制動力が増加する第１操作手段と、第１操作手段に連動して揺動し、第１操作部が第１位置にあるとき回転規制手段を第１規制状態にし、第２操作部が第２位置から第３位置に操作されると第２規制状態にする第２操作手段とを有する。この場合には、第１操作手段の第１操作部を第１位置から引き込み操作して装着部に接近させると、制動力が徐々に増加する。また、第１操作手段の第２操作部を第２位置から押し込み操作して装着部から離反した第３位置に操作すると、規制状態が第２規制状態になる。ここでは、１つの第１操作手段に設けられた２つの操作部を同じ指で操作することで制動操作と規制切換操作とを同じ指で行えるので、他の指を釣り竿から離す必要がなくなり、円滑に規制操作を行えるようになる。
【００１１】
発明３に係るスピニングリールは、発明２に記載のリールにおいて、位置保持手段は、第２操作部が第２位置と第３位置とにそれぞれ配置されるように第１操作手段を保持する。この場合には、両操作部を有する第１操作手段を保持して第２操作部を第２位置と第３位置とに保持できる。
発明４に係るスピニングリールは、発明１に記載のリールにおいて、操作手段は、先端に第１操作部を有し、リール本体に揺動自在に設けられ、第１操作部が第１位置から装着部に接近する方向に操作されると制動手段による制動力が増加する第１操作手段と、先端に第２操作部を有し、リール本体に揺動自在に設けられ、第２操作部が第２位置にあるとき回転規制手段を第１規制状態にし、第２操作部が第２位置から第３位置に操作されると第２規制状態にする第２操作手段とを有している。この場合には、第１操作部により第１位置から装着部に接近する方向に引き込み操作すると、制動手段によるロータの糸繰り出し方向の回転に対する制動力が増加する。また、第２操作部を第１位置には位置すると回転規制手段よりロータが第１規制状態に規制され、第２位置から第３位置に押し込み操作すると、回転規制手段によりロータが第２規制状態に規制される。ここでは、第１操作部を指の腹で引き込み操作することによりロータの制動を行え、第１操作部に対向して配置された第２操作部を同じ指の背で押し込み操作することにより第１規制状態から第２規制状態への切換操作を行える。このように、制動操作と同じ指で規制操作を行えるので、他の指を釣り竿から離す必要がなくなり、円滑に規制操作を行えるようになる。また、第１操作部及び第２操作部を各別に有する第１及び第２操作手段により制動操作と回転規制操作とを別々に行えるので、誤操作が生じにくくなる。
【００１２】
発明５に係るスピニングリールは、発明４に記載のリールにおいて、位置保持手段は、第２操作部が第２位置と第３位置とに配置されるように第２操作手段を保持する。この場合には、第２操作部を有する第２操作手段を保持して第２操作部を第２位置と第３位置とに保持できる。
発明６に係るスピニングリールは、発明４又は５に記載のリールにおいて、第３位置に第２操作部が配置されたとき、第２操作部は、第１操作部が第１位置から装着部に接近する方向に操作されると第１操作手段に連動して第２位置に戻る。この場合には、制動操作がなされると第２規制状態から第２規制状態に切り換わるので、第１規制状態が規制解除状態の場合、規制状態から規制解除状態に制動操作に連動して切り換えでき、切換操作を別途行う必要がなくなる。
【００１３】
発明７に係るスピニングリールは、発明１から６のいずれかに記載のリールにおいて、第１規制状態は第２規制状態より規制が弱い状態である。この場合には、第２位置で規制が弱くなり、第３位置で規制が強くなる。このため、第１操作部を第１位置から装着部に接近する方向に操作すると制動力が強くなり、第２操作部を第２位置から第３位置に操作すると規制が強くなり、第２位置（第１位置）を中心に両方向に操作すると制動力又は規制が強くなる。
【００１４】
発明８に係るスピニングリールは、発明７に記載のリールにおいて、第１規制状態は、回転規制手段による規制を解除する状態である。この場合には、第２操作部を第２位置に配置すると規制が解除されるので、通常は何も操作しないと規制が解除されロータが自由に回転できる。
発明９に係るスピニングリールは、発明１から６のいずれかに記載のリールにおいて、第２規制状態は第１規制状態より規制が弱い状態である。この場合には、第３位置で規制が弱くなり、第２位置で規制が強くなる。このため、第１操作部を第１位置から装着部に接近する方向に操作すると制動力が強くなり、第２操作部を第２位置から第３位置に操作すると規制が弱くなり、規制状態及び制動力が強くなる方向が同じになる。
【００１５】
発明１０に係るスピニングリールは、発明９に記載のリールにおいて、第２規制状態は、回転規制手段による規制を解除する状態である。この場合には、第２操作部を第２位置に配置すると規制が解除されるので、通常は何も操作しないと第１規制状態にロータが規制され、第３位置に操作すると規制が解除されロータが自由に回転できる。
【００１６】
発明１１に係るスピニングリールは、発明２から１０のいずれかに記載のリールにおいて、制動手段は、前記ロータの前記糸繰り出し方向の回転にのみ連動して回転する制動部材を有し、第１操作手段は、基端に制動部材に接触可能な制動作用部を有し、第１位置に配置された第１操作部を装着部に接近する方向に操作すると、制動作用部が制動部材に接触して前記ロータが制動される。この場合には、第１操作手段がロータの糸繰り出し方向に回転にのみ連動して回転する制動部材に直接作用するので、制動力を調整しやすい。
【００１７】
発明１２に係るスピニングリールは、発明１１に記載のリールにおいて、回転規制手段は制動手段と兼用され、第２操作手段が制動部材に接触するとロータが制動され第１又は第２規制状態になる。この場合には、回転規制手段と制動手段とが兼用されるので、装置の構成が簡素になる。
発明１３に係るスピニングリールは、発明１から１１のいずれかに記載のリールにおいて、回転規制手段は、ロータの逆転を許可する第１規制状態とロータの逆転を禁止する第２規制状態とを取り得る逆転防止手段である。この場合には、ロータの逆転を禁止できるので、根掛かりしたときに釣り糸を切断しやすくなる。
【００１８】
【発明の実施の形態】
〔実施形態１〕
〔全体構成〕
図１に示す本発明の一実施形態によるスピニングリールは、ハンドル１を備えたリール本体２と、リール本体２の前部に回転自在に支持されたロータ３と、ロータ３の前部に配置された釣り糸を巻き取るスプール４とを備えている。
【００１９】
リール本体２は、例えば合成樹脂製又は金属製である。リール本体２は、釣り竿に装着される前後に長い装着部２ｃと、装着部２ｃと間隔を隔てて配置されたリールボディ２ａと、装着部２ｃとリールボディ２ａとを連結する脚部２ｂとを有している。リールボディ２ａの内部には、ロータ３を回転させるためのロータ駆動機構５と、ロータ３の糸繰り出し方向の回転（逆転）を制動するためのレバーブレーキ機構６と、スプール４を回転軸芯Ｘに沿って前後方向に移動させてスプール４に釣り糸を均一に巻き取るためのオシレーティング機構７とが設けられている。
【００２０】
ロータ３は例えば合成樹脂又は金属製であり、リール本体２に回転自在に支持されている。ロータ３は、円筒部３ａと、円筒部３ａの側方に互いに対向して設けられた第１アーム部３ｂ及び第２アーム部３ｃとを有している。円筒部３ａの前壁３ｄの中央部には貫通孔３ｅを有するボス部３ｆが形成されている。この貫通孔３ｅにスプール軸８及びピニオンギア１２（後述）が貫通している。第１アーム部３ｂの先端と第２アーム部３ｃの先端部とには、揺動自在にベールアーム９が設けられている。このベールアーム９により釣り糸をスプール４に案内する。
【００２１】
スプール４は例えば金属製であり、ロータ３の第１アーム部３ｂと第２アーム部３ｃとの間に配置されている。スプール４はスプール軸８の先端に着脱自在かつ回転不能に装着されている。スプール４は、外周に釣り糸が巻かれる糸巻き胴部４ａと、糸巻き胴部４ａの後部に一体形成されたスカート部４ｂと、糸巻き胴部４ａの前端に固定されたフランジ部４ｃとを有している。スプール軸８は、オシレーティング機構７により前後方向に移動可能である。
【００２２】
ロータ駆動機構５は、ハンドル１が固定されたハンドル軸１０とともに回転するマスターギア１１と、このマスターギア１１に噛み合うピニオンギア１２とを有している。ハンドル軸１０は、リール本体２に回転自在に支持されている。ピニオンギア１２は筒状に形成されており、その前部１２ａはロータ３中心部を貫通してスプール４側に延びている。この前部１２ａで、ロータ３はナット１３によりピニオンギア１２に回転不能に固定されている。ピニオンギア１２は、中間部と後部とで軸受１４，１５によりリール本体２に回転自在に支持されている。
【００２３】
〔レバーブレーキ機構の構成〕
レバーブレーキ機構６は、図１〜図３に示すように、制動部２０と、制動部２０を制動操作するための制動レバー（第１操作手段の一例）２１と、制動部２０を所定制動状態に操作するための補助レバー（第２操作手段の一例）２２と、制動レバー２１を装着部２ｃから離反する方向に付勢するコイルばね２３と、補助レバー２２を制動解除位置と所定制動位置とに保持するトグルばね２４とを有している。
【００２４】
制動部２０は、図１に示すように、制動レバー２１により制動される制動部本体３１と、制動部本体３１をロータ３の糸繰り出し方向の回転にのみ連動して回転させるワンウェイクラッチ３２とを有している。
制動部本体３１は、ロータ３の内周側にロータ３と同心に配置された制動円筒４０と、制動円筒４０を傾動自在かつ回転不能に支持する回転円筒４１と、リールボディ２ａに設けられた円弧状の突出部４２とを有している。
【００２５】
制動円筒４０は薄肉の有底円筒形状の金属製円筒であり、その周部の先端の周接部４０ａが外周側に配置された突出部４２と内周側に配置された制動レバー２１の圧接部２１ｄ（後述）との間に配置される。また、制動レバー２１の圧接部２１ｄと異なる周方向位置で周接部４０ａの内周側に補助レバー２２の圧接部２７ａ（後述）が配置されている。制動円筒４０はその中心部に鋸歯形状の内歯部（図示せず）を有している。回転円筒４１は、大径部４１ａと小径部４１ｂとを有する段付きの金属製円筒部材であり、大径部４１ａに内歯部に噛み合う外歯部（図示せず）が形成されている。この外歯部にワンウェイクラッチ３２及び制動円筒４０が回転不能に係止されている。大径部４１ａの内側には、ピニオンギア１２との間に軸受４３が配置されている。小径部４１ｂの外側にはリールボディ２ａとの間に軸受４４が配置されている。このため、回転円筒４１は、前部が軸受４３によりピニオンギア１２に回転自在に支持され、後部が軸受４４によりリールボディ２ａに回転自在に支持されている。また、回転円筒４１はワンウェイクラッチ３２によりロータ３の糸繰り出し方向の回転には一体で回転し、巻き取り時にはロータ３の回転力が作用しないようロータ３に連結されている。
【００２６】
制動円筒４０とワンウェイクラッチ３２との間には傾動した制動円筒４０を元の姿勢に戻すための円錐コイルばね４５が配置されている。
図２に示すように、突出部４２には、円弧状の合成樹脂製の制動シュー４２ａが装着されている。ワンウェイクラッチ３２は外輪遊転型のものであり、ロータ３の円筒部３ａの内周面に回転不能に外輪が連結され、内輪が回転円筒４１に回転不能に連結されている。
【００２７】
図１に示すように、制動レバー２１は、リール本体２に装着された支持軸３３によりリール本体２に揺動自在に支持されている。また、前述したように、制動レバー２１は、コイルばね２３により装着部２ｃと離反する方向に付勢されている。制動レバー２１は、図３に示す制動解除位置と、制動解除位置より装着部２ｃに接近した図５に示す制動位置との間で揺動自在にリール本体２に取り付けられている。
【００２８】
制動レバー２１は、支持軸３３による支持部分から湾曲して前方に延びる制動操作部２１ａと、支持部分から湾曲して斜め前下方に延びる制動作用部２１ｂとを有している。制動操作部２１ａは、支持部分から装着部２ｃに沿ってベールアーム９の外方付近まで前方に延びた後、径方向外方に向けて延び、さらに先端が前方に向けて湾曲した形状である。この湾曲部分から前方が釣り竿を握る手の人差し指で操作可能な第１操作部２１ｃとなっている。第１操作部２１ｃは、制動レバー２１の揺動により図１に示す第１位置から装着部２ｃに接近する方向に移動可能である。制動操作部２１ａは、脚部２ｂから前方部分から、径方向外方に延びる部分まで幅が大きくなっており、その幅広部分には、略矩形の開口２１ｅが形成されている。この開口２１ｅから後述する補助レバー２２の操作部材２６が上方及び前方に露出している。
【００２９】
制動作用部２１ｂの先端は、制動部２０の内周側に対向して配置され、そこには、図３に示すように、制動部２０に接触可能な圧接部２１ｄが着脱自在に取り付けられている。圧接部２１ｄは合成樹脂製であり、制動レバー２１の揺動により制動部２０を外方に配置されたリール本体２側に押圧する。制動レバー２１は、何も操作されないとコイルばね２３により付勢されて、図１に示すように、制動解除位置に配置されて圧接部２１ｄが制動部２０から離反している。
【００３０】
補助レバー２２は、ロータ３を図３及び図５に示す制動解除状態と図４に示す所定制動状態とに切り換える規制操作を行うためのものである。この実施形態１では、制動解除状態が第１規制状態に相当し、所定制動状態が第２規制状態に相当する。補助レバー２２は、図３及び図５に示すように、第２操作部２６ａ（後述）が装着部２ｃに接近した第２位置に配置される制動解除位置と、図４に示すように、第２操作部２６ａが装着部２ｃから離反した第３位置に配置される所定制動位置との間で揺動する。補助レバー２２は、図２及び図３に示すように、支持軸３３回りに揺動自在にリール本体２に支持された第１レバー部材２５と、第１レバー部材２５と連動して揺動する第２レバー部材２７とを有している。
【００３１】
第１レバー部材２５は、制動レバー２１の図３手前側側面に並べて配置されている。第１レバー部材２５は、支持部分から制動レバー２１に沿って上前方及び下前方に延びたレバー本体２５ａと、レバー本体２５ａの上方に延びた先端にねじ２９により固定された操作部材２６とを有している。レバー本体２５ａの先端は制動レバー２１の制動操作部２１ａの幅広部分に位置している。また、支持部分より斜め前下方に延びたレバー本体２５ａの基端は、制動部２０の後方に対向して配置されている。レバー本体２５ａの基端側の途中には、第２レバー部材２７の先端が係止される矩形の係止孔２５ｃが形成されている。係止孔２５ｃは、第２レバー部材２７の先端部の横断面積より大きい面積の矩形孔である。
【００３２】
操作部材２６は、先端に第２操作部２６ａを有し、基端側（図３右側）に第３操作部２６ｂを有している。第２操作部２６ａは、装着部２ｃから離反する側に第１操作部２１ｃと対向して配置され、第３操作部２６ｂは、制動レバー２１の第１操作部２１ｃより基端側に配置されている。このため、第２操作部２６ａは、釣り竿を握る手の人差し指で押し込み操作可能であり、第３操作部２６ｂは、釣り竿を握る手の中指で押し込み操作可能である。とくに、第１操作部２１ｃと第２操作部２６ａは、同じ指による引き込み操作と押し込み操作とが可能である。第２操作部２６ａは、補助レバー２１の揺動により図１及び図３に示す第２位置と図４及び図５に示す第３位置とに配置される。
【００３３】
操作部材２６は、制動操作部２１ａの幅広部分に設けられた開口２１ｅから装着部２ｃに向けて上方に突出して配置されている。この突出部分に第３操作部２６ｂが設けられている。操作部材２６は、開口２１ｅの下部から先端側に延びており、延びた先端に第２操作部２６ａが形成されている。また、第３操作部２６ｂの先端には、制動操作部２１ａの上面に係止される係止部２６ｃが僅かに凹んで形成されている。係止部２６ｃは、補助レバー２２が制動解除位置にあるとき、制動操作部２１ａの開口２１ｅの前部上面と間隔を隔てて配置されている。また、補助レバー２２が制動解除位置に配置されると、図４に示すように、第３操作部２６ｂの係止部２６ｃは、制動操作部２１ａの開口２１ｅの前部上面にほぼ接触する。
【００３４】
第２レバー部材２７は、図２及び図６に示すように、リール本体２の前部にスプール軸８と平行な軸回りに揺動自在に装着されている。第２レバー部材２７の基端から揺動中心までの距離は、先端から揺動中心までの距離より２倍以上長い。第２レバー部材２７の先端は、係止孔２５ｃに係止されており、第２レバー部材２７は、第１レバー部材２５と連動して制動解除位置に対応する内側位置（図６（ａ））と所定制動位置に対応する外側位置（図６（ｂ））との間で揺動する。ここで、内側位置あるとき第２レバー部材２７の基端はトグルばね２４（後述）により付勢されて係止孔２５ｃの上面に接触し、外側位置にあるとき下面に接触する。第２レバー部材２７の途中には、先端が制動円筒４０の周接部４０ａの内周側に配置された圧接部２７ａが設けられている。第２レバー部材２７は、圧接部２７ａの設置部分からさらに折れ曲がって延びており、延びた基端にトグルばね２４が装着されている。圧接部２７ａに対向して制動円筒４０の外周側には、制動シュー５１の先端部が制動円筒４０と間隔をあけて配置されている。制動シュー５１は、基端部がリールボディ２ａの前端面に固定されている。
【００３５】
ここでは、第２位置にある第２操作部２６ａを押し込み操作して第３位置に配置し、第１レバー部材２５を、図６（ａ）に示す制動解除位置から図６（ｂ）に示す所定制動位置側に揺動させると、第２レバー部材２７が内側位置から外側位置に揺動する。この結果、圧接部２７ａが制動円筒４０を制動シュー５１とで挟持してロータ３の糸繰り出し方向の回転を所定制動状態で制動する。
【００３６】
コイルばね２３は、制動レバー２１の制動操作部２１ａとリール本体２の脚部２ｂとの間に圧縮状態で配置されている。コイルばね２３は、制動レバー２１を制動解除側に向けて図１反時計回りに付勢している。これにより、制動レバー２１から手を離すとロータ３は、制動解除状態になる。
トグルばね２４は、図２及び図６に示すように、補助レバー２２を付勢して第２操作部２６ａを第２位置と第３位置とに振り分けて配置し、その姿勢を保持するためのものである。トグルばね２４は、第２レバー部材２７の基端に装着された捩じりコイルばねである。トグルばね２４は、一端が第２レバー部材２７の先端に係止され、他端がリールボディ２ａの前端面に係止されている。トグルばね２４は、図６に示すように、第２レバー部材２７が内側位置に配置されると、第２レバー部材２７を図６（ａ）の時計回りに付勢し、外側位置に配置されると図６（ｂ）の反時計回りに付勢する。これにより、第２レバー部材２７が内側位置と外側位置とで保持され、さらに第１レバー部材２５が制動解除位置と所定制動位置とに保持される。ここでは、第２レバー部材２７の基端から揺動中心までの距離が先端から揺動中心までの距離より２倍以上長いので、第１レバー部材２５が揺動すると、その揺動が第２レバー部材２７の基端側で２倍以上の揺動距離となって現れ、トグルばね２４が容易に反転可能になる。
【００３７】
〔リールの動作及び操作〕
キャスティング時にはベールアーム９を糸開放姿勢側に倒し、釣り竿を降り出すことにより、スプール４の外周から釣り糸が繰り出される。糸巻取時には、ハンドル１を糸巻き取り方向に回転させると、ベールアーム９が図示しない戻し機構により糸巻き取り姿勢に戻る。ハンドル１の回転力はハンドル軸１０、マスターギア１１を介してピニオンギア１２に伝達される。ピニオンギア１２に伝達された回転力は、ピニオンギアの前部１２ａを介してロータ３に伝達される。このときロータ３は糸巻き取り方向に回転するので、この回転力は回転円筒４１には伝達されない。ピニオンギア１２が回転すると図示しない中間ギアによりその回転がオシレーティング機構７に伝達され、スプール軸８が前後方向に往復移動する。
【００３８】
制動レバー２１を何も操作しなければ、制動レバー２１はコイルばね２３により押圧され制動解除位置側に配置される。このとき、補助レバー２２の第２操作部２６ａが第２位置に配置されていると、図３、図６（ａ）に示すように、圧接部２１ｄ及び圧接部２７ａが制動円筒４０から離反し、ロータ３は制動解除状態になる。
【００３９】
ロータ３を逆転させて魚とやりとりする時には、制動レバー２１の第１操作部２１ｃを例えば人差し指により装着部２ｃ側に引き込み操作して制動力を調整する。
釣り糸が魚により引かれてロータ３が糸繰り出し方向に逆転すると、その回転力がワンウェイクラッチ３２を介して回転円筒４１に伝達され、さらに制動円筒４０に伝達される。この結果、制動円筒４０がロータ３と一体で回転する。制動レバー２１の第１操作部２１ｃを装着部２ｃに接近する方向に引き込み操作すると、たとえ第１レバー部材２５が所定制動位置にあっても、図５に示すように、制動操作部２１ａが操作部材２６の係止部２６ｃを装着部２ｃに接近する方向に押圧し、補助レバー２２が制動レバー２１に連動して所定制動位置から制動解除位置側に揺動する。この結果、補助レバー２２による所定制動状態が一旦解除される。このとき、トグルばね２４が、第２レバー部材２７の揺動により反転し、第２レバー部材２７が内側位置側に付勢され、第１レバー部材２５が制動解除位置側に保持される（図６（ａ））。
【００４０】
この状態でさらに制動レバー２１を装着部２ｃに接近する方向に操作すると、図５に示すように、制動レバー２１の圧接部２１ｄが制動円筒４０の周接部４０ａを径方向外方に強く押圧し、制動円筒４０を傾け、周接部４０ａの外面が制動シュー４２ａに圧接する。この制動力は制動レバー２１に加える力を加減することにより調整でき、ロータ３の逆転量を任意に調整できる。この結果、制動レバー２１の操作力に応じた制動力がロータ３に付与される。このように、所定制動状態の解除を忘れても、制動レバー２１を引き込み操作するだけで、所定制動状態を解除できる。
【００４１】
釣り場を移動する時やリールを収納する時には、第１操作部２１ｃから手を離した状態で、補助レバー２２の第２操作部２６ａ又は第３操作部２６ｂを装着部２ｃから離反する方向に押し込み操作する。すると、図４及び図６（ｂ）に示すように、補助レバー２２が制動解除位置から所定制動位置に揺動しトグルばね２４によりその位置で保持される。この所定制動位置では、第３操作部２６ｂの係止部２６ｃが制動操作部２１ａの開口２１ｅにほぼ接触する。また、制動円筒４０の周接部４０ａの外周面が圧接部２７ａにより径方向外方に押圧されてロータ３が制動シュー５１とで挟持され、所定の制動力で制動される。この結果、釣り場を移動するときなリールを収納するときに、仕掛けの重さなどにより釣り用リールが不意にスプール４から繰り出されることがなくなる。
【００４２】
さらに、仕掛けの垂らし長さを変更するためや、魚に当たりがあった時に魚に仕掛けを確実に食い込ませるために、ロータ３を所定制動状態から制動解除状態にしたい場合には、制動レバー２１を僅かに装着部２ｃに接近する方向に操作すればよい。すると、前述した図４に示すように、制動レバー２１により第２操作部２６ａが押圧されて補助レバー２２が制動解除位置側に揺動する。この結果、所定制動状態がいったん解除される。もちろん、第２操作部２６ａを引き込み操作しても所定制動状態を解除できる。
【００４３】
ここでは、制動レバー２１ではなく、別に設けられた補助レバー２２を装着部２ｃから離反する方向に操作することにより制動解除状態（第１規制状態）から所定制動状態（第２規制状態）に切換操作できるので、回転規制操作を行う際に必要なストロークを制動レバーの操作ストローク以下にすることができる。このため、制動レバー２１の操作ストロークを増やすことなく片手でロータ３の回転規制操作を簡単に行えるようになる。しかも制動による規制を加えているだけであるので、所定制動状態で大きな負荷が作用しても釣り糸が切れにくくなる。また、所定制動状態のとき、制動レバー２１の引き込み操作と連動して補助レバー２２が揺動するように構成したので、第２規制状態から第１規制状態への切換操作を制動レバー２１で行える。このため、規制解除操作が容易になる。
【００４４】
また、制動解除状態と所定制動状態とで２つのレバー２１，２２の位置関係が異なるので、ロータ３が制動解除状態にあるのか所定制動状態にあるのかを瞬時に判別できる。とくに、たとえば補助レバーの操作部材２６の側面を色付けして制動解除位置にあるときその色が見え、所定制動位置にあるとき見えないようにすれば、ロータ３の状態判別をより瞬時に行いやすくなる。
【００４５】
さらに、第１操作部２１ｃと第２操作部２６ａとを装着部２ｃと接離する方向に対向して配置しているので、同じ指の押し込み操作と引き込み操作とで制動操作と規制切換操作とを行うことができる。このように、制動操作と同じ指で規制切換操作を行えるので、他の指を釣り竿から離す必要がなくなり、円滑に規制切換操作を行えるようになる。また、第２位置や第３位置に第２操作部を配置すると位置保持手段により手を離してもその位置で保持されるので、規制状態を持続できる。
【００４６】
〔実施形態２〕
前記実施形態１では、第２操作部２６ａの第２位置から第３位置への押し込み操作により制動解除状態（第１規制状態）から所定制動状態（第２規制状態）に切り換えるように構成したが、逆に第２操作部２６ａの押し込み操作により所定制動状態から制動解除状態に切り換えるようにしてもよい。
【００４７】
この場合、図７に示すように、第１レバー部材２５の係止孔２５ｃに係止された第２レバー部材６７を、圧接部６７ａが制動円筒４０の外側に配置されるように設ければよい。したがって、第２レバー部材６７は、第１レバー部材２５と連動して所定制動位置に対応する内側位置（図７（ａ））と制動解除位置に対応する外側位置（図７（ｂ））との間で揺動する。第２レバー部材６７の先端には、先端が制動円筒４０の周接部４０ａの外周側に配置された圧接部６７ａが設けられている。また、先端にトグルばね２４が装着されている。圧接部６７ａに対向して制動円筒４０の外周側には、制動シュー７１の先端部が制動円筒４０と間隔をあけて配置されている。制動シュー７１は、基端部がリールボディ２ａの前端面に固定されている。
【００４８】
このように第２レバー部材６７を配置すると、前述したように第２操作部２６ａ又は第３操作部２６ｂを押し込み操作すると、補助レバー２２は、所定制動位置から制動解除位置に揺動する。また、制動レバー２１を引き込み操作すると補助レバー２２が制動解除位置から所定制動位置に戻る。この実施形態２では、通常は所定制動状態に維持され、補助レバー２２を操作すると制動解除状態になる。このような実施形態２でも前述した実施形態１と同様な効果が得られる。
【００４９】
〔実施形態３〕
前記実施形態では、２つのレバー２１，２２により制動操作と規制切換操作とを分けて操作したが、実施形態３では１つの制動レバー（第１操作手段の一例）９１により制動操作と規制切換操作を行うようにする。
図８に示すように、制動レバー９１は、リール本体２に装着された支持軸３３によりリール本体２に揺動自在に支持されている。また制動レバー９１は、コイルばね２３により装着部２ｃと離反する方向に付勢されている。制動レバー９１は、制動解除位置と、制動解除位置より装着部２ｃに接近した制動位置と、制動解除位置より装着部２ｃから離反した所定制動位置との間で揺動自在にリール本体２に取り付けられている。
【００５０】
制動レバー９１は、支持軸３３による支持部分から湾曲して前方に延びる制動操作部９１ａと、支持部分から湾曲して斜め前下方に延びる制動作用部９１ｂとを有している。制動操作部９１ａは、支持部分から装着部２ｃに沿ってベールアーム９の外方付近まで前方に延びた後、前方と径方向外方とに向けて分かれて延び、さらに先端が前方に向けて湾曲した形状である。この湾曲部分から前方が釣り竿を握る手の人差し指の腹で引き込み操作可能な第１操作部９１ｃとなっており、そのまま前方に延びる部分が人差し指の背で押し込み操作可能な第２操作部９１ｅとなっている。第１操作部９１ｃは、制動レバー９１の揺動により図１に示す第１位置から装着部２ｃに接近する方向に移動可能である。
【００５１】
制動作用部９１ｂの先端は、制動部２０の内周側に対向して配置され、そこには、制動部２０に接触可能な圧接部９１ｄが着脱自在に取り付けられている。圧接部９１ｄは合成樹脂製であり、制動レバー９１の揺動により制動部２０を外方に配置されたリール本体２側に押圧する。
他の構成は前記実施形態１と同様であり、図６に示す第２レバー部材（第２操作手段の一例）２７が制動レバー９１に設けられた係止孔９１ｆに係止されている。第２レバー部材２７は、制動レバー９１に連動して揺動する。
【００５２】
したがって、制動レバー９１は、何も操作されないとコイルばね２３により付勢されて、図１に示すように、制動解除位置に配置されて圧接部９１ｄが制動部２０から離反している。第２操作部９１ｅを押圧操作すると係止孔９１ｆに係止された第２レバー部材２７が内側位置から外側位置に揺動し、所定制動状態になる。この状態で制動レバー９１を装着部２ｃに接近する方向に操作するとトグルばね２４の死点を超えた時点で制動レバー９１が制動解除位置に配置され、制動解除状態になる。
【００５３】
このような実施形態３では、２本のレバーにより制動操作と切換操作を行う構成に比べて構成が簡素になる。また、２つの操作部９１ｃ，９１ｅが装着部２ｃと接離する方向に対向して配置されているので、前記実施形態と同様に、同じ指による引き込み操作と押し込み操作とにより制動操作と規制切換操作とを行うことができる。
【００５４】
〔実施形態４〕
前記３つの実施形態では、ロータ３の糸繰り出し方向の規制をレバーブレーキ機構６によって行い、制動機構と規制機構とを同一構成で実現したが、図９に示すように、制動レバー９１と連動して動作する逆転防止機構８０を設けてロータ３の逆転を禁止する規制を行ってもよい。この場合には、逆転防止機構８０を逆転禁止状態にすることにより、根掛かりしたときに釣り糸を確実に切ることができる。
【００５５】
図９において、実施形態３と同様に、制動レバー９１は、図９に示す制動解除位置から装着部２ｃと接離する方向に揺動する。コイルばね２３は、制動レバー９１を中立位置に保持し、制動レバー９１が中立位置から装着部２ｃに対して接離すると中立位置に向けて付勢する。制動レバー９１は、中立位置では圧接部９１ｄが制動円筒４０に接触しない制動解除状態となっている。
【００５６】
逆転防止機構８０は、制動レバー９１の中立位置から装着部２ｃから離反する方向の操作により逆転禁止状態になる。逆転防止機構８０は、ピニオンギア１２と一体形成された逆転禁止ホイール８１と、逆転禁止ホイール８１に接離自在な逆転禁止爪８２とを有している。
逆転禁止ホイール８１は、外周部に周方向に間隔を隔てて配置された略鋸歯状の多数の歯部８１ａを有している。歯部８１ａの糸繰り出し方向下流側面は上流側面に比べて径方向に沿って形成されている。これにより、逆転禁止ホイール８１は、逆転禁止爪８２により糸繰り出し方向の回転のみ禁止され得る。
【００５７】
逆転禁止爪８２は、２点鎖線で示す逆転禁止姿勢と実線で示す逆転許可姿勢とに揺動自在にリール本体２の前部に装着されている。逆転禁止爪８２は、トグルばね８３により逆転禁止姿勢と逆転許可姿勢とに振り分けて付勢されている。逆転禁止爪８２は基端部がトグルばね８３に係止され、中間部がリール本体２に揺動自在に支持されている。また、先端部は二股に分かれた１対の係止部８２ａ，８２ｂを有している。
【００５８】
１対の係止部８２ａ，８２ｂの間には、制動レバー９１の制動作用部９１ｂが配置されている。制動作用部９１ｂは、逆転禁止爪８２が逆転許可姿勢にあるとき、係止部８２ａ，８２ｂのいずれにも接触しない位置に配置されている。制動レバー９１が装着部２ｃと離反する方向に中立位置から操作されると、制動作用部９１ｂは、係止部８２ｂに接触して逆転禁止爪８２を逆転禁止姿勢に向けて押圧する。逆転禁止爪８２は、逆転禁止姿勢になると、下側の係止部８２ｂの先端が逆転禁止ホイール８１の歯部８１ａの回転方向下流側面に当接して逆転禁止ホイール８１、すなわちピニオンギア１２の糸繰り出し方向の回転を禁止し、ピニオンギア１２に固定されたロータ３の糸繰り出し方向の回転を禁止する。また、逆転禁止爪８２が逆転禁止姿勢になると、斜めに配置された係止部８２ｂに制動作用部９１ｂが接触し、制動レバー９１は、逆転禁止爪８２により中立位置から下方の逆転防止位置に揺動した姿勢で保持される。この状態で制動レバー９１が中立位置に向けて操作されると、制動作用部９１ｂが係止部８２ａを逆転許可姿勢側に押圧し、逆転禁止爪８２を逆転許可姿勢に戻す。
【００５９】
〔リールの動作及び操作〕
制動レバー９１を何も操作しなければ、制動レバー９１はコイルばね２３により押圧され中立位置に配置される。
ロータ３を逆転させて魚とやりとりする時には、制動レバー９１の第１操作部９１ｃを例えば人差し指の腹により装着部２ｃ側に引き込み操作し魚とのやりとりを行う。
【００６０】
釣り糸が魚により引かれてロータ３が糸繰り出し方向に逆転すると、その回転力がワンウェイクラッチ３２を介して回転円筒４１に伝達され、さらに制動円筒４０に伝達される。この結果、制動円筒４０がロータ３と一体で回転する。この状態で制動レバー９１の第１操作部９１ｃを装着部２ｃに接近する方向に中立位置から引き込み操作すると、制動レバー９１の圧接部９１ｄが制動円筒４０の周接部４０ａを径方向外方に強く押圧し、制動円筒４０を傾け、周接部４０ａの外面が制動シュー４２ａに圧接する。このとき、逆転防止爪８２の係止部８２ａと制動作用部９１ｂとの間に隙間があいているので、逆転防止爪８２は揺動しない。この引き込み操作時の制動力は制動レバー９１に加える力を加減することにより調整でき、ロータ３の逆転量を任意に調整できる。この結果、制動レバー９１の操作力に応じた制動力がロータ３に付与される。制動レバー９１に力を入れるのを止めると、制動レバー９１はコイルばね２３により中立位置に戻され、ロータ３は制動解除状態になる。
【００６１】
また、制動レバー９１の第２操作部９１ｅを装着部２ｃから離反する方向に中立位置から押し込み操作すると、制動作用部９１ｂが逆転防止爪８２の係止部８２ｂを押圧して逆転防止爪８２が図９の時計回りに揺動する。このときトグルばね８３の死点を超えると逆転禁止爪８２は逆転禁止姿勢側に付勢され、逆転防止爪８２が逆転禁止姿勢になる。この結果、係止部８２ｂの先端が逆転禁止ホイール８１の歯部８１ａに接触してロータ３の逆転が禁止される。なお、トグルばね８３の死点は、ロータ３が糸巻取方向に回転して逆転禁止ホイール８１の歯部８１ａが逆転禁止爪８２を押しても逆転禁止爪８２を逆転禁止姿勢に付勢しない位置にセットされている。
【００６２】
逆転防止機構８０を逆転許可状態にするには、制動レバー９１を中立位置に戻す操作を行えばよい。制動レバー９１を中立位置に戻す操作を行うと、制動作用部９１ｂが係止部８２ａを押圧して逆転禁止爪８２を逆転許可姿勢側に戻す。このとき、トグルばね８３の死点を超えると逆転禁止爪８２は、逆転許可姿勢側に付勢されその位置に保持される。
【００６３】
ここでも、対向して配置された２つの操作部９１ｃ、９１ｅを用いた同じ指による引き込み操作と押し込み操作とにより制動操作と規制切換操作とを行うことができる。
〔他の実施形態〕
（ａ）  前記４つの実施形態では、第１又は第２規制状態を制動解除状態にして、第２またと第１規制状態を所定制動状態又は逆転禁止状態としたが、第１規制状態と第２規制状態とで制動力を変化させてもよく、いずれかの規制状態を所定制動状態にして他方の規制状態を逆転禁止状態にしてもよい。
【００６４】
（ｂ）  前記実施形態では、制動レバー２１，９１をリール本体２に揺動自在に装着したが、装着部２ｃに接離する方向に移動するのであれば直線移動するようにしてもよい。
（ｃ）  前記実施形態では、第２レバー部材に圧接部を設けたが、第１レバー部材２５の先端に圧接部を設けてもよい。
【００６５】
【発明の効果】
本発明よれば、２つの操作部を装着部と接離する方向に対向して配置しているので、第１操作部を操作する同じ指の背で第２操作部を押し込み操作して規制状態を切り換えることができる。このように、制動操作と同じ指で規制切換操作を行えるので、他の指を釣り竿から離す必要がなくなり、円滑に規制操作を行えるようになる。また、第２位置や第３位置に第２操作部を配置すると位置保持手段により手を離してもその位置で保持されるので、規制状態を持続できる。
【図面の簡単な説明】
【図１】本発明の実施形態１によるスピニングリールの側面断面図。
【図２】図１のII−II断面図。
【図３】制動解除状態における各レバーと制動円の状態を示す断面模式図。
【図４】所定制動状態における各レバーと制動円筒の状態を示す断面模式図。
【図５】制動状態における各レバーと制動円筒の状態を示す断面模式図。
【図６】制動解除状態と所定制動状態での第２レバー部材の動作を示す模式図。
【図７】実施形態２の図６に相当する図。
【図８】実施形態３の図１に相当する図。
【図９】実施形態４の図２に相当する図。
【符号の説明】
２  リール本体
２ａ  リールボディ
２ｃ  装着部
３  ロータ
４  スプール
６  レバーブレーキ機構
２０  制動部
２１，９１  制動レバー
２１ａ，９１ａ  操作部
２１ｂ，９１ｂ  制動作用部
２１ｃ，９１ｃ  第１操作部
２２  補助レバー
２３  コイルばね
２４，８３  トグルばね
２６ａ，９１ｅ  第２操作部
８０  逆転防止機構
【図１】
0003736792.tif 000002
【図２】
0003736792.tif 000003
【図３】
0003736792.tif 000004
【図４】
0003736792.tif 000005
【図５】
0003736792.tif 000006
【図６】
0003736792.tif 000007
【図７】
0003736792.tif 000008
【図８】
0003736792.tif 000009
【図９】
0003736792.tif 000010